(57)【要約】【課題】アレルギー反応を引き起こすおそれがなく、また、アルコールが蒸発する際の気化熱により、患者が冷たさを感じることも無く、しかも、ヨウ素系消毒剤、塩素系消毒剤、導電性ジェルなどを簡単且つ確実に拭取ることができる、医療や介護等の臨床現場において使い勝手に優れた、新規な払拭清浄体を提供する。【解決手段】本発明に係る払拭清浄体は、払拭液剤を含浸する払拭シート２を袋３内に包装してなる。払拭シート２は、不織布又は織布からなる。そして、払拭液剤が、チオ硫酸ナトリウム水溶液を含み、アルコールを含まない、ノンアルコール系溶液であることを特徴とする。【選択図】図１
2013244327.tif 000002
【特許請求の範囲】
【請求項１】
払拭液剤を含浸する払拭シート（２）を袋（３）内に包装してなる払拭清浄体であって、
払拭シート（２）は、不織布又は織布からなるものであり、
払拭液剤が、チオ硫酸ナトリウム水溶液を含み、アルコールを含まない、ノンアルコール系溶液であることを特徴とする消毒剤の払拭清浄体。
【請求項２】
払拭シート（２）が、セルロース繊維を３０％以上含む不織布である、請求項１記載の消毒剤の払拭清浄体。
【発明の詳細な説明】
【技術分野】
【０００１】
本発明は、人体皮膚に塗布されるヨウ素系消毒剤、塩素系消毒剤、或いは心電図を測定する際に人体皮膚に塗布される導電性ジェルなどを拭き取る際に使用される払拭清浄体に関する。この払拭清浄体は医療や介護等の臨床現場において使用される。
【背景技術】
【０００２】
本発明に係る払拭清浄体は、払拭シートを長方形状の扁平筒状とし、これを袋内に包装してなるが、この種の払拭体は、例えば特許文献１に開示されており公知である。また、人体皮膚に付着したヨウ素系消毒剤を払拭する際に、チオ硫酸ナトリウムのエタノール溶液の俗称であるハイポアルコール製剤を使用することも広く知られている。
【先行技術文献】
【特許文献】
【０００３】
【特許文献１】登録実用新案第３１０８９１７号公報
【発明の概要】
【発明が解決しようとする課題】
【０００４】
上記のように、人体皮膚に付着したヨウ素系消毒剤を払拭する際には、チオ硫酸ナトリウムのエタノール溶液の俗称であるハイポアルコール製剤が広く使用されている。しかし、ハイポアルコール製剤はエタノールというアレルギー反応物質を含むため、アルコール過敏症の患者等に対しては使用できない不利がある。また、アルコールが蒸発する際の気化熱により、患者が冷たさを感じる不利もある。
【０００５】
また、塩化ベンザルコニウム、塩化ベンゼトニウム、塩化セチルピリジウムなどを含む、所謂「逆性石けん」と呼ばれる塩素系消毒剤は、医療用の消毒剤として医療用器具や手指の消毒に広く利用されているが、当該「逆性石けん」の残留塩素が有害であること、或いは、使用後に手指がぬるぬるして不快であるといった問題がある。また、プールには衛生管理上、次亜塩素酸ナトリウム、次亜塩素酸カルシウム、或いは塩素化イソシアヌル酸などの塩素系消毒剤が添加されているが、プールから出た後もこれら塩素系消毒剤が肌や髪に残ると、肌荒れや脱色などを引き起こすおそれがある。しかしながら、先のハイポアルコール製剤では、これら逆性石けんといった医療用消毒剤、或いはプール添加用の消毒剤といった塩素系消毒剤を容易且つ確実に拭き取ることが困難であり、これら塩素系消毒剤を容易且つ確実に拭き取ることができる、新たな払拭清浄体の開発が望まれていた。
【０００６】
本発明は、以上のような従来のハイポアルコール製剤を含む払拭剤の抱える問題点を解決するためになされたものであり、アレルギー反応を引き起こすおそれがなく、また、アルコールが蒸発する際の気化熱により、患者が冷たさを感じることも無く、しかも、ヨウ素系消毒剤や塩素系消毒剤などを簡単且つ確実に拭取ることができる、医療や介護等の臨床現場において使い勝手に優れた、新規な払拭清浄体を提供することにある。
【課題を解決するための手段】
【０００７】
本発明は、払拭液剤を含浸する払拭シート２を袋３内に包装してなる払拭清浄体１を対象とする。払拭シート２は不織布又は織布からなるものとする。そして、払拭液剤がチオ硫酸ナトリウム水溶液を含み、アルコールを含まない、ノンアルコール系溶液であることを特徴とする。
【０００８】
払拭シート２の形態としては、展開状態において長方形の払拭シートを渦巻状に巻き込んでロール状に整形した形態のほか、払拭シートを重畳状に折り畳んだ形態を採ることができる。
【０００９】
払拭シート２は、セルロース繊維を３０％以上（上限は１００％）含む不織布であることが好ましい。払拭シート２は、大判サイズ（約３０ｃｍ×約３０ｃｍ）の不織布とすることが好ましく、払拭清浄体は、該払拭シート２をロール状に巻いて、これを袋３内に収納してなるスティック包装体の形態とすることができる。
【発明の効果】
【００１０】
本発明においては、不織布又は織布からなる払拭シート２に含浸される払拭液剤として、チオ硫酸ナトリウム水溶液を含むものとした。これによれば、チオ硫酸ナトリウムとハロゲン化物の反応により、ヨウ素系消毒剤、或いは塩素系消毒剤を容易に脱色できるので、人体皮膚に塗布後、長時間が経った消毒剤を拭取る場合にも、確実且つ簡単に消毒剤を拭取ることができる。また、特にヨウ素系消毒剤は黄褐色を呈しており、人体皮膚に塗布されると目に付き易いが、本発明に係る払拭清浄体を用いれば、チオ硫酸ナトリウムの脱色能により、ヨウ素系消毒剤を脱色させながら拭取ることができる。
【００１１】
加えて、本発明に係る払拭清浄体においては、払拭液剤として、アルコールを含まない、ノンアルコール系溶液を採用したので、アルコールに対するアレルギー反応を引き起こすことがなく、アルコール過敏症の患者等に対しても支障無く使用できる。また、アルコールが蒸発する際の気化熱により、患者等が不快に感じることも無い。
【００１２】
以上より、本発明によれば、アレルギー反応等の不具合を解消して安全性に富み、しかも、ヨウ素系や塩素系消毒剤を簡単且つ確実に拭取ることができる、使い勝手に優れた払拭清浄体を得ることができる。
【００１３】
払拭シートは、セルロース繊維を３０％以上含む不織布とすることが好ましい。これによれば、優れた吸水性と拭取り性とを備えた払拭清浄体を得ることができる。セルロース繊維が３０％未満となると、特に拭取り性が低下する不利がある。
【図面の簡単な説明】
【００１４】
【図１】本発明に係る払拭清浄体を構成する払拭シートを展開した状態と、払拭シートを袋内に包装した状態を示す図である。
【図２】本発明に係る払拭清浄体の断面図であり、袋内に包装された払拭シートの状態を説明するための図である。
【発明を実施するための形態】
【００１５】
（実施例）  図１および図２に、本発明に係る払拭清浄体を示す。図１および図２に示すように、払拭清浄体１は、払拭液剤が含浸された払拭シート２と、これを収納する包装袋（袋）３とからなる。図１に示すように、払拭シート２は、展開状態において左右方向に長い長方形状の不織布であり、渦巻状に巻き込んでロール状に整形された状態で包装袋３内に収納されている。
【００１６】
払拭シート２は、綿やレーヨンなどのセルロース繊維を主体とするものであり、これに、ポリエステル、ポリプロピレン、ポリエチレン、アクリル、ポリアミドなどの合成繊維を含ませることができる。図示していないが、柔らかな肌触りを発揮できるようにするために、払拭シート２にはエンボス加工が施されている。払拭シート２の秤量は、２５〜１００ｇ／ｃｍ２の範囲で適宜選択することができる。払拭シート２に含まれるセルロース繊維の含有量は３０％以上であることが好ましく、これにて優れた吸水性と拭取り性とを備えた払拭清浄体１を得ることができる。セルロース繊維が３０％未満となると、特に拭取り性が低下する不利がある。
【００１７】
払拭液剤はチオ硫酸ナトリウム水溶液を主成分とするものであり、これに保湿剤、防腐剤、中和剤などを含ませてなる。本実施例におけるチオ硫酸ナトリウム水溶液は、チオ硫酸ナトリウム・五水和物（Ｎａ２Ｓ２Ｏ３・５Ｈ２Ｏ）を水に溶解してなるものである。チオ硫酸ナトリウム・五水和物の払拭液剤に占める配合割合は２重量％以上、１０重量％以下であることが好適である。
【００１８】
包装袋３は、ポリプロピレン延伸フィルムと未延伸ポリプロピレンフィルムをラミネートした複合フィルム、あるいはアルミニウム箔の片面にポリエチレンフィルム、またはポリプロピレンフィルムをラミネートしたフィルム複合体などで通気不能な袋として形成する。包装袋３の左右両端はシール部４で密封してあり、シール部４に臨む袋端に開封用の切込縁５が連続山形状に形成してある。使用時には、左右いずれか一方の切込縁５を引き裂いて包装袋３を開封することで、ロール状の払拭シート２を取り出すことができる。
【００１９】
以上のような構成からなる払拭清浄体１は、ヨウ素系消毒剤、塩素系消毒剤、或いは心電図を取る際に、人体皮膚に塗布される導電性ジェルを拭取り対象とする。ヨウ素系消毒剤の具体例としては、ポリビニルピロリドン（ＰＶＰ）、ポリビニルアルコール（ＰＶＡ）およびシクロデキストリン（ＣＤ）に包接されるポビドンヨード、ＰＶＡヨードおよびＣＤヨード等の高分子複合ヨウ素剤などを挙げることができ、本発明に係る払拭清浄体１を用いれば、チオ硫酸ナトリウムのハロゲン化物の分解能により、ヨウ素系消毒剤を容易に分解できるので、人体皮膚に塗布後、長時間が経った消毒剤を拭取る場合にも、確実且つ簡単に消毒剤を拭取ることができる。また、特にヨウ素系消毒剤は黄褐色を呈しており、人体皮膚に塗布されると目に付き易いが、本発明に係る払拭清浄体１を用いれば、チオ硫酸ナトリウムの脱色能により、ヨウ素系消毒剤を脱色させながら拭取ることができる。
【００２０】
塩素系消毒剤の具体例としては、特に塩化ベンザルコニウム、塩化ベンゼトニウム、塩化セチルピリジウムなどを含む「逆性石けん」、或いはプールに添加される次亜塩素酸ナトリウム、次亜塩素酸カルシウム、或いは塩素化イソシアヌル酸などの消毒剤を挙げることができる。
【００２１】
蒸留水に、以下の表１の割合でチオ硫酸ナトリウム、１，３ブチレングリコール、炭酸ナトリウムおよびメチルパラベンを加えて、実施例１〜４、および比較例に示すような払拭液剤を得た。これら実施例および比較例に係る払拭液剤を払拭シート（コットン１００％の不織布、２５０ｍｍ×３００ｍｍ）に含浸させて、実施例１〜４、および比較例に係る払拭清浄体を得た。払拭シートに対する払拭液剤の含浸率（不織布重量に対する割合）は４５０％とした。
【００２２】
次に、実施例１〜４、および比較例に係る払拭清浄体を使って、ヨウ素消毒剤に対するヨウ素臭およびヨウ素色の拭き取り試験、塩化ベンザルコニウム配合ジェルに対する塩素臭の拭き取り試験、および塩素を含む消毒剤が添加された水泳プール用の水に対する塩素臭の拭き取り試験を行った。具体的には、シボ模様付きシリコーン製シート（縦２１０ｍｍ×横２９７ｍｍ、厚さ１ｍｍ）の中央部に、ヨウ素系消毒剤（ポピドンヨード）、塩化ベンザルコニウム配合ジェル、および次亜塩素酸ナトリウムが添加された水泳プール用の水（遊離残留塩素濃度１．０ｍｇ／Ｌ）のいずれかを０．７ｍｌを滴下した後、これを１０ｃｍ角に均一に塗布して試験片を作成し、各試験片に対して、実施例１〜４および比較例に係る払拭清浄体による拭き取り試験を行った。係る拭き取り試験では、拭き取り前と拭き取り後のシリコーン製シートに付着したヨウ素臭、ヨウ素色、塩素臭を比較し、女性３名が拭き取り効果を官能評価した。それらの試験結果を表１に示す。
【００２３】
【表１】
2013244327.tif 000003
【００２４】
上記表１の効果試験の結果より、実施例１〜４の本発明にかかる払拭清浄体は、チオ硫酸ナトリウムを含まない比較例に比べて、ヨウ素系消毒剤に対するヨウ素臭およびヨウ素色、塩素系消毒剤に対する塩素臭、および塩素を含む消毒剤が添加された水泳プール用の水に対する塩素臭について優れた払拭性能を発揮することが確認できた。特にチオ硫酸ナトリウムを５重量％以上含む実施例１〜３については、全ての項目について「良く取れた」という評価を得た。
【符号の説明】
【００２５】
１  払拭洗浄体
２  払拭シート
３  袋（包装袋）
【図１】
2013244327.tif 000004
【図２】
2013244327.tif 000005